(57)【要約】【課題】  ある室からの避難経路において重複区間がないように建築空間の間仕切りの設計をする。【解決手段】  避難空間１２との避難出入口１４を複数有する建築空間１を通路１０と通路１０に通路出入口２２を有する室２０とに区画する設計方法であって、通路１０Ａを屈曲部で区切ることによって通路区間１０を特定し、通路区間１０Ａの両端は避難出入口１４又は別の通路区間１０Ｂに接続することを確認し、ある室２０Ａを選定し、選定された室２０Ａが通路出入口１４を介して接続する通路区間１０Ａを特定し、選定された室２０Ａから第１避難出入口１４Ａに至る第１経路上にある全ての通路区間を特定し、選定された室２０Ａから第２避難出入口１４Ｂに至る第２経路上にある全ての通路区間を特定し、第１経路の通路区間と第２経路の通路区間について、選定された室２０Ａが接続する通路区間１０Ａ以外に重複がないことを確認する。【選択図】  図２
2010158363.tif 000002
【特許請求の範囲】
【請求項１】
避難空間との避難出入口を複数有する建築空間を、通路と前記通路に通路出入口を有する室とに区画する設計方法であって、
前記通路を屈曲部で区切ることによって、一又は二以上の直線状の通路区間を特定し、
前記通路区間のそれぞれの端は、前記避難出入口又は別の前記通路区間に接続することを確認し、
ある前記室を選定し、
前記選定された室が通路出入口を介して接続する通路区間を特定し、
前記選定された室から第一の前記避難出入口に至る第一の経路上にある全ての前記通路区間を特定し、
前記選定された室から第二の前記避難出入口に至る第二の経路上にある全ての前記通路区間を特定し、
前記第一の経路の通路区間と前記第二の経路の通路区間について、前記選定された室が接続する通路区間以外に重複がないことを確認すること、
を特徴とする設計方法。
【請求項２】
請求項１に記載の設計方法であって、
前記室の選定は、全ての前記室から一つずつ選ぶことを特徴とする設計方法。
【請求項３】
請求項１又は２に記載の設計方法であって、
前記通路は、一本道であり、その両端は前記避難出入口に接続していることを特徴とする設計方法。
【請求項４】
請求項１又は２に記載の設計方法であって、
全ての前記通路区間の両端は、別の前記通路区間に接続し、
２以上の前記通路区間が、前記避難出入口に接続する
ことを特徴とする設計方法。
【請求項５】
請求項１又は２に記載の設計方法であって、
前記通路区間は、その中間部において別の前記通路区間の端と接続することを特徴とする設計方法。
【発明の詳細な説明】
【技術分野】
【０００１】
本発明は、建築空間の間仕切り設計方法に関する。
【背景技術】
【０００２】
建物の各階の閉じた建築空間を床から天井までに亘る高さの間仕切り壁で仕切って複数の室に区画することが、通常行われている（特許文献１を参照）。例えば、屋外に避難可能な共用廊下等（以下、「避難空間」という）に出入口を有する建築空間の内部を区画して、個室等の室と、室から避難空間への出入口をつなぐ通路とを設けることがある。建築基準法では、このように区画された建築空間であって一定の条件に該当するものについて、室から避難空間に至る避難経路を複数設けることを求めている。
【特許文献１】特開２００７−３３４６８３号公報
【発明の開示】
【発明が解決しようとする課題】
【０００３】
ところで、避難経路が例えば２つ設けられていても、それらの避難経路に共通する重複区間があり、その重複区間が通行できない事態が発生すると、その在室者は避難経路を失って避難できなくなる虞がある。したがって、建築空間の避難安全性を高めるためには、避難経路に重複区間がないような間仕切りにすべきである。
【０００４】
本発明はかかる従来の課題に鑑みて成されたもので、ある室からの避難経路において重複区間がないような建築空間の間仕切り設計方法を提供することを目的とする。
【課題を解決するための手段】
【０００５】
かかる目的を達成するために請求項１に記載の発明は、避難空間との避難出入口を複数有する建築空間を、通路と前記通路に通路出入口を有する室とに区画する設計方法であって、前記通路を屈曲部で区切ることによって、一又は二以上の直線状の通路区間を特定し、前記通路区間のそれぞれの端は、前記避難出入口又は別の前記通路区間に接続することを確認し、ある前記室を選定し、前記選定された室が通路出入口を介して接続する通路区間を特定し、前記選定された室から第一の前記避難出入口に至る第一の経路上にある全ての前記通路区間を特定し、前記選定された室から第二の前記避難出入口に至る第二の経路上にある全ての前記通路区間を特定し、前記第一の経路の通路区間と前記第二の経路の通路区間について、前記選定された室が接続する通路区間以外に重複がないことを確認すること、を特徴とする設計方法である。  
請求項１に記載の発明によれば、ある室からの避難経路において重複区間がないような建築空間の間仕切り設計方法を提供することができる。
【０００６】
請求項２に記載の発明は、請求項１に記載の設計方法であって、前記室の選定は、全ての前記室から一つずつ選ぶことを特徴とする設計方法である。  
請求項２に記載の発明によれば、建築空間内の全ての室からの避難経路においても重複区間がないような建築空間の間仕切り設計方法を提供することができる。
【０００７】
請求項３に記載の発明は、請求項１又は２に記載の設計方法であって、前記通路は、一本道であり、その両端は前記避難出入口に接続していることを特徴とする設計方法である。
【０００８】
請求項４に記載の発明は、請求項１又は２に記載の設計方法であって、全ての前記通路区間の両端は、別の前記通路区間に接続し、２以上の前記通路区間が、前記避難出入口に接続することを特徴とする設計方法である。
【０００９】
請求項５に記載の発明は、請求項１又は２に記載の設計方法であって、前記通路区間は、その中間部において別の前記通路区間の端と接続することを特徴とする設計方法である。
【発明の効果】
【００１０】
本発明によれば、ある室からの避難経路において重複区間がないように建築空間の間仕切りの設計をすることができる。
【発明を実施するための最良の形態】
【００１１】
＝＝＝第１実施形態＝＝＝
図１は、第１の実施形態によって遮煙部配置設計の対象となる建築空間１を示す平面図である。同図に示すように、建築空間１は、通路１０と室２０に間仕切りされている。
【００１２】
通路１０は、火災などの災害が発生した場合に在室者が避難する避難空間１２との境界部において避難出入口１４を備える。  
室２０は、通路１０の何れかの箇所において通路１０に接続するための通路出入口２２を備える。
【００１３】
図２は、本実施形態の設計方法の手順を示すフロー図である。  
まず、通路１０を屈曲部で区切ることによって、直線状の通路区間１０Ａ、１０Ｂ、１０Ｃを特定する（Ｓ２０２）。なお、ここで通路区間１０の直線状の形状とは、見通しの良い通路形状をいい、通路外縁部が湾曲している通路等の略直線状の通路形状を含むものとする。
【００１４】
通路区間１０Ａ、１０Ｂ、１０Ｃのそれぞれの端は、避難出入口１４又は別の通路区間１０Ａ、１０Ｂ、１０Ｃに接続しているかどうかを判定し（Ｓ２０４）、もし接続していなければ（Ｓ２０４：ＮＯ）、設計をやり直す（Ｓ２２２）。一方で、それぞれの通路区間１０の両端は避難出入口１４又は別の通路区間１０Ａ、１０Ｂ、１０Ｃに接続している場合（Ｓ２０４：ＹＥＳ）には、まず避難の起点となる１号室を選定する（Ｓ２０６、Ｓ２０８）。
【００１５】
そして、１号室が通路出入口２２を介して接続する通路区間１０Ａを特定し（Ｓ２１０）、その通路区間１０Ａから第１避難出入口１４Ａに至る第１経路上にある全ての通路区間１０を特定する（Ｓ２１２）。図１の場合において、１号室は「(1)」で示されており、第１経路上にある通路区間１０は通路区間１０Ａのみである。また、その通路区間１０Ａから第２避難出入口１４Ｂに至る第２経路上にある全ての通路区間１０を特定する（Ｓ２１４）。図１の場合には、通路区間１０Ａ、１０Ｂ、１０Ｃである。
【００１６】
第１経路上の通路区間１０Ａと第２経路上の通路区間１０Ａ、１０Ｂ、１０Ｃについて、１号室が接続する通路区間１０Ａ以外に重複がないかどうかを判定し（Ｓ２１６）、重複する通路区間１０があれば（Ｓ２１６：ＹＥＳ）設計をやり直し（Ｓ２２２）、重複する通路区間１０がなければ（Ｓ２１６：ＮＯ）Ｓ２１８に進む。図１の事例では、第１経路上の通路区間１０Ａと第２経路上の通路区間１０Ａ、１０Ｂ、１０Ｃについて、１号室が接続する通路区間１０Ａ以外に重複がない（Ｓ２１６：ＮＯ）。
【００１７】
建築空間のＭ個の室１０全てについて上記作業を行った場合には（Ｓ２１８：ＹＥＳ）終了する。一方、室１０全てについて上記作業が終了していない場合には（Ｓ２１８：ＮＯ）、次の室１０の２号室が避難の起点となる場合について（Ｓ２２０）、Ｓ２１０からＳ２１６の作業を繰返す。更に、順に３号室からＭ号室までの全ての室１０が避難の起点となる場合について（Ｓ２１８、Ｓ２２０）Ｓ２１０からＳ２１６の作業を繰返す。
【００１８】
本実施形態によれば、何れの室１０からの避難経路においても重複区間が選定された室が接続する通路区間以外にないように建築空間１の間仕切りの設計をすることができる。
【００１９】
すなわち、重複区間のない２つ以上の避難経路があれば、何れかの避難経路において通行不可箇所があっても、在室者は別の避難経路を経て避難することができる。なお、ある室が接続する通路区間は何れの避難経路にも含まれるが、ある室からその通路区間の一方の端までの避難経路と、ある室から他方の端までの避難経路には重複する経路はない。よって、ある室が接続する通路区間において通行不可箇所があっても、在室者は避難空間へ避難できる。
【００２０】
また、本実施形態によれば、建築空間内の１号室からＭ号室までの全ての室２０からの避難経路においても重複区間がないような建築空間１の間仕切りの設計をすることができる。
【００２１】
＝＝＝その他の実施の形態＝＝＝
以上、本発明の実施形態について説明したが、本発明は、かかる実施形態に限定されるものではなく、その要旨を逸脱しない範囲で以下に示すような変形が可能である。
【００２２】
第１実施形態における通路の形状はコ字型であるが、通路の形状はこれに限らず、Ｌ字型、ロ字型、Ｔ字型であってもよい。
【００２３】
図３は、通路形状がＬ字型である場合の建築空間２を示す平面図である。同図に示すように通路１０の屈曲部において通路区間１０Ａと通路区間１０Ｂとを特定し、第１実施形態と同様に第１避難経路と第２避難経路に、避難の起点となる室２０が接続する通路区間１０以外に重複する通路区間１０がないかどうかを確認する。なお、通路１０の端部には、それぞれ避難出入口１４Ａ、１４Ｂ、が設けられ、避難空間１２に避難できるようになっている。
【００２４】
このように通路１０の形状がＬ字型であっても、何れの室１０からの避難経路においても重複区間がないように建築空間２の間仕切りの設計をすることができる。
【００２５】
図４は、通路１０の形状が分岐のあるＴ字型である場合の建築空間３を示す平面図である。３箇所の通路１０の端部には、それぞれ避難出入口１４Ａ、１４Ｂ、１４Ｃが設けられ、避難空間１２に避難できるようになっている。同図に示すように通路１０の屈曲部において通路区間１０Ａと通路区間１０Ｂとを特定し、第１実施形態と同様に第１避難経路と第２避難経路に、避難の起点となる室２０が接続する通路区間１０以外に重複する通路区間１０がないかどうかを確認する。
【００２６】
このように、通路１０に分岐があっても、何れの室１０からの少なくとも２つの避難経路において重複区間がないように建築空間３の間仕切りの設計をすることができる。例えば、ある室２０Ａから、避難出入口１４Ａに至る経路を第１避難経路とし、避難出入口１４Ｂ（又は１４Ｃ）に至る経路を第２避難経路とした場合、第１避難経路上にあるのは通路区間１０Ａのみであり、第２避難経路上にあるのは通路区間１０Ａ及び１０Ｂである。よって、避難の起点となる室２０Ａが接続する通路区間１０Ａ以外に重複する通路区間１０がないことが確認でき、少なくとも２つの避難経路において重複区間がないことが確認できる。
【００２７】
図５は、通路１０の形状が循環型のロ字型である場合の建築空間４を示す平面図である。同図に示すように通路１０の屈曲部において通路区間１０Ａ、通路区間１０Ｂ、通路区間１０Ｃ、通路区間１０Ｄを特定し、第１実施形態と同様に第１避難経路と第２避難経路に、避難の起点となる室２０が接続する通路区間１０以外に重複する通路区間１０がないかどうかを確認する。なお、複数の通路区間からは非常階段等の避難空間１２に避難できるようになっている。
【００２８】
このように、通路１０が循環型であっても、何れの室１０からの避難経路においても重複区間がないように建築空間４の間仕切りの設計をすることができる。
【００２９】
さらに、これらの組合せの通路形状であっても、上記と同様に何れの室１０からの避難経路においても重複区間がないように建築空間の間仕切りの設計をすることができる。
【図面の簡単な説明】
【００３０】
【図１】第１の実施形態によって遮煙部配置設計の対象となる建築空間１を示す平面図である。
【図２】本実施形態の設計方法の手順を示すフロー図である。
【図３】通路形状がＬ字型である場合の建築空間２を示す平面図である。
【図４】通路１０の形状が分岐のあるＴ字型である場合の建築空間３を示す平面図である。
【図５】通路１０の形状が循環型のロ字型である場合の建築空間４を示す平面図である。
【符号の説明】
【００３１】
１、２、３、４  建築空間
１０  通路
１２  避難空間
１４  避難出入口
２０  室
２２  通路出入口
【図２】
2010158363.tif 000003
【図１】
2010158363.tif 000004
【図３】
2010158363.tif 000005
【図４】
2010158363.tif 000006
【図５】
2010158363.tif 000007